(57)【要約】【課題】  製造工程を短縮することができ、且つ、高い強度を持つ椅子を提供する。【解決手段】  椅子は、座部１、脚部３、及び、脚部３を座部１の底に固定する固定手段２を備える。座部１は、樹脂からなり、座体１１、２つの肘かけ１２及び背もたれ１３から一体に構成される。肘かけ１２は、座体１１の縁から上方に延びるように形成される。背もたれ１３は、両肘かけ１２間に渡されるように設けられ、座体１１との間に空間を形成する。このような座部１によれば、座体１１と肘かけ１２と背もたれ１３とから一体に形成されるので、高い強度を持つことができる。また、製造過程の一工程で座体１１と肘かけ１２と背もたれ１３とを同時に作ることができるので、それらを別々に作る場合と比べ製造工程を短縮することができる。【選択図】図７
0003172848.tif 000002
【実用新案登録請求の範囲】
【請求項１】
座部と、脚部と、固定手段とを備え、
前記座部は、座体と、前記座体の左右両側に連結される一対の肘かけと、一対の前記肘かけ同士を連結する背もたれと、から一体に形成され、
前記背もたれは、一対の前記肘かけ間に渡されるように設けられ、前記座体との間に空間を形成し、
前記固定手段は、前記脚部を前記座体の底部に固定することを特徴とする椅子。
【請求項２】
前記肘かけは、前記座体の左右両側から上方且つ前方に延びる一対の支持部、及び、一対の前記支持部の上端から後方に延びる肘かけ部を有し、
前記支持部の前縁と前記座体との傾斜角度は９０度よりも小さくされ、
前記支持部の後縁と前記座体との傾斜角度は９０度よりも大きくされ、
前記支持部の後縁と前記肘掛け部の下縁との角部は円弧状に形成され、
前記肘かけ部の後端は、前記背もたれの下縁に連結されていることを特徴とする請求項１記載の椅子。
【考案の詳細な説明】
【技術分野】
【０００１】
本考案は、椅子に関する。
【背景技術】
【０００２】
一般に、椅子は、材料で分類すると、木材製、樹脂製または金属製などがある。椅子に使用する材料が異なると、その椅子の構成も異なる。木材製の椅子は、重量がやや重く、製造が簡単でなく、又、製造コストが高い。又、樹木伐採は環境を悪化させるので、材料の調達は日増しに困難な状況になりつつある。そのため、大量生産は困難となることから、近年、椅子は樹脂や金属等の材料から作られる傾向にある。
【考案の概要】
【考案が解決しようとする課題】
【０００３】
ところが、樹脂や金属から作られる椅子は、座体と肘かけと背もたれとが別々に作られてから相互に組み合わせられるものが多いため、組み合わせに時間がかかり、製造コストが高くなるという問題があった。
また、座体と肘かけと背もたれとが別々に作られると、それらが他の部品で連結されたとしても椅子全体としての強度が低いという問題があった。
【０００４】
本考案は、このような点に鑑みてなされたものであり、その目的は、製造工程を短縮することができ、且つ、高い強度を持つ椅子を提供することにある。
【課題を解決するための手段】
【０００５】
本考案による椅子は、座部、脚部、及び、脚部を座部の底に固定する固定手段を備える。座部は、座体と２つの肘かけと背もたれとが例えば樹脂から一体に形成されてなる。座部は、例えば射出成形で作られる。座部の肘かけは、座体の左右両側の縁から上方に延びるように形成され、背もたれは、両肘かけの上端部同士を互いに接続するように形成される。背もたれは、座体に連結することなしに肘かけだけに連結される。背もたれは、両肘かけ間に渡されるように設けられ、座体との間に空間を形成する。
【０００６】
このような椅子によれば、背もたれが座体に連結せず、肘かけに連結され、背もたれと座体との間に空間が空けられることで、背もたれに適度な弾性を持たせることができる。
また、座部は、座体と肘かけと背もたれとが樹脂から一体に形成されるので、高い強度が得られるとともに、製造過程の一工程で座体と肘かけと背もたれとを同時に作ることができるので生産速度を上げることができ、製造コストを安くすることができる。
【図面の簡単な説明】
【０００７】
【図１】本考案の第１実施形態による椅子の座部および固定手段の分解斜視図である。
【図２】図１の前面図である。
【図３】図１の座部と固定手段とを組み合せた時の前面図である。
【図４】図３の右側面図である。
【図５】図３の左側面図である。
【図６】図３の上面図である。
【図７】本考案の第１実施形態による座部と固定手段と脚部との分解斜視図である。
【図８】本考案の第１実施形態による椅子の斜視図である。
【図９】本考案の第２実施形態による椅子の座部と固定手段と脚部との分解斜視図である。
【図１０】本考案の第３実施形態による椅子の座部と固定手段と脚部との分解斜視図である。
【図１１】本考案の第４実施形態による椅子の座部と固定手段と脚部との分解斜視図である。
【考案を実施するための形態】
【０００８】
以下、本考案の複数の実施形態を図面に基づいて説明する。実施形態同士で実質的に同一の構成には同一の符号を付して説明を省略する。
図１〜図８に示すように、本考案の第１実施形態による椅子は、座部１と、固定手段２と、脚部３とから構成される。
【０００９】
座部１は、座体１１と、２つの肘かけ１２と、背もたれ１３とを有する。座部１２は、耐食性と耐衝撃性を持つ非金属材料、例えば樹脂、合成樹脂、プラスチックスチール、再生樹脂、又は、再生合成樹脂等から作られる。
【００１０】
座体１１は、その底部の中央部に上下に延びる複数のねじ穴１０を有する。このねじ穴１０には、脚部３を座体１１に固定するための図示しないねじが締め付けられる。
肘かけ１２は、座体１１の左側または右側の縁から上方に延びるように形成される支持部、及び、その支持部の上端から後方に延びる肘かけ部を有する。肘かけ１２の支持部の前縁と座体１１との傾斜角度１２１Ａは９０度より小さくされる。また、肘かけ１２の支持部の後縁と座体１２との傾斜角度１２２Ａは９０度よりも大きくされる。
【００１１】
また、肘かけ１２の支持部の後縁１２２と肘かけ部の下縁との角部１４が円弧状に形成され、肘かけ１２の肘かけ部の後端は、後方に延び、背もたれ１３の下縁と連結される。これにより、背もたれ１３は、一対の肘かけ１２を介して座体１１と一体に形成される。背もたれ１３は、両肘かけ１２の間に渡されるように設けられ、ある程度の弾性を自然に生じる。椅子に人が座り、背中が背もたれ１３に寄りかかった時、背もたれ１３は多少の弾性を持つので、座る人は座り心地が良くなる。
【００１２】
図８に示すように、固定金具２は固定板と挟み部材２１とを有する。座部１と脚部３とを互いに組み合わせるとき、脚部３の上部の二本の平行棒が固定手段２の固定板と挟み部材２１とに上下に挟まれてから、座体１１の底部の中央部に図示しないねじで固定される。
【００１３】
座部１は、図７に示すような形式の脚部３の他に、図９に示すような脚部３（第２実施形態）、図１０に示すような脚部３（第３実施形態）、及び、図１１に示すような脚部３（第４実施形態）にも組み合わせて椅子を構成することができる。
【００１４】
第１〜第４実施形態による椅子は次に示す効果がある
１．背もたれ１３は弾性を持つため座り心地がよい。
２．構成が単純であり、製造コストが安い。
３．容易に組み立てることができる。
４．座部１は射出成形で生産可能であり、多種多様な形状の椅子に容易に対応可能である。
５．産業上又経済上の利用性と利益が高い。
【００１５】
以上、本考案は、上述した実施形態に何ら限定されるものではなく、その趣旨を逸脱しない範囲において種々の形態で実施可能である。
【符号の説明】
【００１６】
１      ：座部
１０    ：ねじ穴
１１    ：座体
１２    ：肘かけ
１２１  ：肘かけの前縁
１２１Ａ：肘かけの前縁と座体との傾斜角度
１２２  ：肘かけの後縁
１２２Ａ：肘かけの後縁と座体との傾斜角度
１３    ：背もたれ
１４    ：支持部の後縁と肘掛け部の下縁との角部
２      ：固定手段
２１    ：挟み部材
３      ：脚部
【図１】
0003172848.tif 000003
【図２】
0003172848.tif 000004
【図３】
0003172848.tif 000005
【図４】
0003172848.tif 000006
【図５】
0003172848.tif 000007
【図６】
0003172848.tif 000008
【図７】
0003172848.tif 000009
【図８】
0003172848.tif 000010
【図９】
0003172848.tif 000011
【図１０】
0003172848.tif 000012
【図１１】
0003172848.tif 000013